(57)【特許請求の範囲】
【請求項１】
電波を受信するアンテナと、このアンテナと繋がる電子回路と、電子機器本体を持ち運ぶために設けた取っ手を有するアンテナ付き電子機器において、上記アンテナを上記取っ手内に設け、その取っ手は、水平方向に少なくとも１８０度回転可能に設けられたことを特徴とするアンテナ付き電子機器。
【請求項２】
前記取っ手は、複数の垂直方向角度位置で保持可能となるように調節可能とされていることを特徴とする請求項１記載のアンテナ付き電子機器。
【発明の詳細な説明】
【０００１】
【発明の属する技術分野】
本発明は、アンテナ付き電子機器に関わり、特に、そのアンテナの配置に関するものである。
【０００２】
【従来の技術】
図９は、従来のアンテナ付き電子機器でループアンテナ２１を外付けしたタイプを示す図である。ループアンテナ２１は、接続線２２を介して電気機器の本体２３の中の回路基板と繋がっている。このループアンテナ２１の向き及び高さの調整によって、電波の受信最適位置が調整可能となる。
【０００３】
図１０は、従来の他のアンテナ付き電子機器で内蔵式のバーアンテナ２４を有するタイプを示す図である。内蔵式のバーアンテナ２４は、直接、回路基板２５に半田付けされて、電子機器の本体２３内部に組み込まれる。そのバーアンテナ２４は、本体２３に対してその方向、高さ等を自由に調整することはできない。
【０００４】
【発明が解決しようとする課題】
電波の受信効果を良くするためには、外付けタイプのループアンテナ２１を備えた電子機器が好ましい。この従来の外付け式のループアンテナ２１付き電子機器は、電波の受信効果が優れているが、ループアンテナ２１が、本体２３の付属品となり、本体２３の端子に接続線２２によって繋ぐ作業が必要になると共に電子機器の付属品が多くなる。また、電子機器の本体２３を移動する際、ループアンテナ２１も一緒に移動させなければならないが、その際、本体２３と別体のループアンテナ２１はスペース的にかさばり、また、コード類を忘れがちとなる。また、この電子機器を手で持ち、歩きながら受信内容を聞くのは、極めて不便となっている。
【０００５】
最近では、電子機器が小型化され、持ち運びされる機会が増えつつある。そのため、移動に便利な内蔵式のバーアンテナ２４を採用する電子機器が多くなり、外付けタイプのループアンテナ２１付き電子機器の不便さが解決されている。しかし、この内蔵式のバーアンテナ２４付き電子機器の構造では、バーアンテナ２４を直接、回路基板２５に付けるため、向きおよび角度などの調整ができない。このため、電波毎に最適な方向にできず、受信効果が制限がされる。
【０００６】
特に、ＭＤ（Ｍｉｎｉ  Ｄｉｓｋ）を搭載するラジオ機能付き電子機器において、アンテナとデジタル回路部との間に距離が取れず、ＡＭ放送をＭＤに録音しようとする場合等で、ＭＤ録音にノイズが発生しやすくなっている。この現象を避けるためには、バーアンテナ２４の感度を低減させなければならないが、感度を下げると通常時の受信性能が劣ってしまう。
【０００７】
本発明は、上記した問題を解決するためなされたものであり、受信状況が優れ、ノイズも発生せず、手で持つ場合や移動に際しても便利なアンテナ付き電子機器を提供することを目的とする。
【０００８】
【課題を解決するための手段】
このような目的を達成するために、本発明のアンテナ付き電子機器は、電波を受信するアンテナと、このアンテナと繋がる電子回路と、電子機器本体を持ち運ぶために設けた取っ手を有するアンテナ付き電子機器において、アンテナを取っ手内に設け、取っ手は、水平方向に少なくとも１８０度回転可能に設けられている。
【０００９】
このような構造によって、アンテナが内蔵になり、アンテナを外付けするタイプの不便さが無くなった。しかも、取っ手は、電子回路から離れており、ノイズの発生を生じない。さらに、取っ手は、通常、電子機器本体の上部に取り付けられるため、電波の受信状況は良いものとなる。さらに、アンテナは本体の回路基板およびＭＤようなデジタル回路部分と離れると共にアンテナの向きの調整もできることとなる。
【００１０】
他の発明のアンテナ付き電子機器は、上述の発明に加え、取っ手は、複数の垂直方向角度位置で保持可能となるように調節可能とされている。このため、取っ手内のアンテナによる電波の受信効果を良くするため、アンテナの位置調整ができるようになり、電波受信にとって好ましいものとなる。
【００１１】
また、ループアンテナを取り付ける時とバーアンテナを取り付ける時とでは、取っ手の中の構造を異ならせる必要がある。ループアンテナを取り付ける時、取っ手を中空状とし、その中空部にループアンテナとなる金属部を挿入している。一方、バーアンテナを取り付ける時、取っ手内にバーアンテナとそのバーアンテナにつながる接続線を配置している。
【００１２】
また、他の発明では、上述の各アンテナ付き電子機器に加え、取っ手を電子機器本体に取り付けるための工夫を行っている。その構造は、取っ手または電子機器本体のいずれか一方に凸部を、いずれか他方に凹部を設け、その凸部と凹部に金属部分を設け、両者の金属部分を接触させることでアンテナで受信した信号を電子回路に導くようにしている。取っ手の回動によって、両者の金属部分はセルフクリーニング効果で、錆が出ず、接触性能の良い状態が保たれる。
【００１３】
また、取っ手を電子機器本体に取り付けるための取り付け部を中空とし、アンテナで受信した信号を電子回路に送るための接続線がその中空部内に配置され電子機器本体内に導かれるようにすると、アンテナから電子回路への信号送信が安定かつ確実に行われることとなる。
【００１４】
【発明の実施の形態】
以下、本発明の実施の形態について図面を参照しつつ説明する。
【００１５】
図１は、本発明のアンテナ付き電子機器の実施の形態を示す図である。図示されているように、取っ手１は、ＭＤ付きのラジカセとなる電子機器の本体２に取り付けられ、アンテナ付き電子機器となる。本体２に付けている取っ手１は、水平位置（図１の実線状態）から垂直位置（図１の１点鎖線状態）の間で自由回転し、かつ任意角度で保持可能とされることで、電波受信の最適位置を調節可能とされている。即ち、本実施の形態では、取っ手１と本体２の間の移動角度αの変化が０〜９０度なっている。
【００１６】
また、本実施の形態では、図２に示したように、取っ手１が２つの半体部１ａ，１ｂを合わせて構成されるとともに中空状となり、その中にループアンテナ３となる金属棒が挿入され、アンテナの機能を併せ持つものとなる。ループアンテナ３は、取っ手１の中で所定位置で支持固定されるようにするため、２つの半体部１ａ，１ｂの同じ場所に数枚の支え板壁４が設けられている。取っ手１の一方の半体部１ａにある支え板壁４には、上縁に半円状の孔４ａが設けられ、ループアンテナ３を載せ、取っ手１の他方の半体部１ｂの下縁に同じ半円状の孔４ａが設けられている支え板壁４と合わせて、ループアンテナ３を固定する。
【００１７】
ループアンテナ３の断面形状は、円形状とされている。また、本体２に係合する接触軸５がループアンテナ３と一体になっている。取っ手１の両端部の内側で両半体部１ａ，１ｂの同じ位置にそれぞれ半円の孔６が設置されている。ループアンテナ３がこの半円の孔６で形成される円形孔を通り外に出る部分が本体２内の回路と繋げる接触軸５となっている。接触軸５の外周には複数の接触凸部７が設けられている。
【００１８】
図２の矢示Ａ方向から見た取っ手１の端部構造は、図３に示したように、ループアンテナ３の凸部となる接触軸５の外側の表面に複数の接触凸部７が設けられる構成となっている。この接触凸部７は、本体２部分の凹部となる軸受け８に設けられる接触凹部９（図４および図５参照）と合わせられ、その部分で両者は接触することとなる。
【００１９】
このように、本体２内の電子回路１０と繋がる導電金属製の軸受け８に、接触軸５に設けられた接触凸部７と相応する接触凹部９が設けられている。この軸受け８は、バネ性を有し、その両端８ａ，８ｂが矢示Ｂ方向（両端８ａ，８ｂが離れる方向）に拡開可能とされている。すなわち、接触凸部７が軸受け８の接触凹部９以外の部分に当接しているとき軸受け８はその径がわずかに拡がることとなる。この構成によって、取っ手１の回動と位置保持が可能となる。アンテナの角度を変化させたい場合に、取っ手１を持って回動させ、接触凸部７と接触凹部９の位置関係を変化させ、その新たな角度で保持させる。アンテナの向きを変えたい場合は、本体２の配置位置を変えることで行う。
【００２０】
上述の実施の形態は、本発明の好適な実施の形態の例であるが、これに限ることはなく、本発明の要旨を逸脱しない範囲で種々変形実施可能である。たとえば、図６に示したように、ループアンテナ３の代わりにバーアンテナ１１を取っ手１の中に取り付けるようにしても良い。この場合、中空とした取っ手１の掴み部分（つまり、本体２と一番離れている部分）にバーアンテナ１１を固定する。そして、接続線１２を介し外部へ露出した接触軸５と繋ぎ、電子回路１０に受信した信号を送信する。その接続線１２は、接触軸５と半田付けで接続されている。
【００２１】
また、ループアンテナ３やバーアンテナ１１と、電子回路１０との接続を接続線１２によって行うようにしても良い。この場合、図７に示すように、接続線１２を取っ手１に設けられた回転中心軸１３の半筒部１３ａ，１３ｂで形成された円形の中空部１３ｃを通過させるようにするのが好ましい。
【００２２】
また、図８に示したように、ループアンテナ３またはバーアンテナ１１を内蔵した取っ手１を垂直方向での角度変化をしないようにし、水平方向での回転によって、電波の受信の最適向きを調節可能とするようにしてもよい。この回転は、本体２にある円形溝１４に沿うように、取っ手１の端部の金属部分をはめ込んで、３６０度以上の角度で回転できるようになっている。円形溝１４は、本体２内の電子回路１０（図示省略）と接続できるように、取っ手１の両端の金属部分と導通している。すなわち、取っ手１の一方の内側面１５と他方の外側面１６のそれぞれ端部に金属部分を設ける。一方、本体２の円形溝１４の内側壁面１７と外側壁面１８における取っ手１の金属部分に対応する部分に金属部分をそれぞれ円周状に設けている。この構造によって、取っ手１内のアンテナが電子回路１０と繋がれ、回転の向きを電波の受信効果が最大となる向きに調整可能となる。
【００２３】
図８に示したものでは、水平方向の回転が３６０度以上、すなわち自由に回転できるようになっているが、９０度以内の回転としたり、１８０度以内の回転等他の回転角度としても良い。しかし、受信方向の調整という意味では少なくとも１８０度の回転ができるようにすることが好ましい。また、図１等で示した、垂直方向の移動角度αは、９０度ではなく垂直状態を中心として前後に回動できるようにして、例えば、前後４５度で計９０度としたり、１８０度回動できるようにする等他の移動角度αとしても良い。さらに、図８に１点鎖線で示すような溝１９を追加し、取っ手１を水平回転に加え、垂直回動も可能にするようにしても良い。
【００２４】
また、取っ手１を中空状とせず、ループアンテナ３やバーアンテナ１１を樹脂によるインサート成型により、取っ手１と一体化させた形状としても良い。また、取っ手１に凸部となる接触軸５を設け、本体２に凹部となる軸受け８を設けたが、取っ手１に凹部を設け、本体２に凸部を設けて両者を嵌合させるようにしても良い。
【００２５】
【発明の効果】
以上詳述したように、本発明のアンテナ付き電子機器によれば、アンテナが取っ手内に設けられているため、外付けアンテナが不要となり、コード類の持ち運びの手間が無くなり、電子機器の移動が楽に行えるようになる。また、取っ手は、本体の電子回路から離れた位置に配されることが多く、取っ手内のアンテナが原因となるノイズが発生しにくくなる。さらに、取っ手は、電子機器の本体の上部に取り付けられることが多く、電波の受信状況が良いものとなる。
【図面の簡単な説明】
【図１】本発明の実施の形態のアンテナ付き電子機器の斜視図である。
【図２】図１のアンテナ付き電子機器の取っ手の構造を示すため一部を取り除いて示す斜視図とその部分拡大図である。
【図３】図２の取っ手の端部にある接触軸を図２の矢示Ａ方向から見た図である。
【図４】図１のアンテナ付き電子機器の本体を切断して要部を示す図と、本体に設けられた導電金属製の軸受け部分の拡大図である。
【図５】図１のアンテナ付き電子機器に設けられた接触軸と導電金属製の軸受けが合わせられた状態の配置構造を示す部分断面図である。
【図６】本発明のアンテナ付き電子機器に設けられる取っ手の他の例を示す図である。
【図７】本発明のアンテナ付き電子機器に設けられる取っ手のさらに他の例を示す図である。
【図８】本発明のアンテナ付き電子機器の他の例で、水平方向の回転が可能となる取っ手を有する例を示す図である。
【図９】従来のアンテナ付き電子機器のループアンテナを外付けするタイプを示す図である。
【図１０】従来のアンテナ付き電子機器のバーアンテナを内蔵するタイプを示す図である。
【符号の説明】
１    取っ手
２    電子機器の本体
３    ループアンテナ
４    支え板壁
５    接触軸（凸部）
７    接触凸部
８    軸受け（凹部）
９    接触凹部
１１  バーアンテナ
１２  バーアンテナの接続線
α    取っ手の移動角度
【図１】
0003634202.tif 000002
【図２】
0003634202.tif 000003
【図３】
0003634202.tif 000004
【図４】
0003634202.tif 000005
【図５】
0003634202.tif 000006
【図６】
0003634202.tif 000007
【図７】
0003634202.tif 000008
【図８】
0003634202.tif 000009
【図９】
0003634202.tif 000010
【図１０】
0003634202.tif 000011